(57)【要約】【課題】手書き入力機能を備えた電子辞書装置において、辞書データの見出し語とその説明情報を表示した状態で、手書きの暗記カードを作成することを可能にする。【解決手段】タッチパネル式表示部１７に所望の見出し語に対応した説明情報表示画面Ｇを表示させた状態で、当画面Ｇ内に作成すべき暗記カードの表エリア３２ｆと裏エリア３２ｒを表示させ、カーソルＣにより順次選択して手書き入力部１６ａにて見出し語としての手書き文字と該見出し語に対応する説明情報としての手書き文字を入力する。この手書文字の見出し語と説明情報は前記表エリア３２ｆと裏エリア３２ｒに表示され、１枚の暗記カードデータの表データと裏データとして対応付けられてＲＡＭに登録される。登録された複数の暗記カードデータは一覧表示され、所望の暗記カードデータが選択されてその表データ（見出し語）あるいは裏データ（説明情報）が適宜切り替え表示される。【選択図】図５
2009146052.tif 000002
【特許請求の範囲】
【請求項１】
複数の見出し語と当該各見出し語の説明情報とを対応付けて記憶する辞書データ記憶手段と、
この辞書データ記憶手段により記憶されたユーザ任意の見出し語と当該見出し語に対応する説明情報とを表示部に表示させる辞書情報表示制御手段と、
この辞書情報表示制御手段によりユーザ任意の見出し語と当該見出し語に対応する説明情報とが表示部に表示された状態で、ユーザ操作に応じた手書き入力を手書き入力部で受け付ける手書き入力受付手段と、
この手書き入力受付手段により受け付けられた複数の手書き入力情報を対応付けてなる組み情報を記憶する組み情報記憶手段と、
この組み情報記憶手段により記憶された組み情報に含まれる１つの手書き入力情報を前記表示部に表示させた後、ユーザ操作に応じて当該組み情報に含まれる他の手書き入力情報を前記表示部に表示させる組み情報表示制御手段と、
を備えたことを特徴とする手書き入力機能を備えた電子辞書装置。
【請求項２】
前記表示部はタッチパネル式表示部であって、
暗記カードの表面と裏面とを前記表示部に表示させる暗記カード表示制御手段をさらに備え、
前記手書き入力受付手段は、前記暗記カード表示制御手段により前記表示部に表示された暗記カードの表面または裏面に対するタッチ操作に従って、ユーザ操作に応じた手書き入力を当該暗記カードの表面または裏面に対する手書き入力として手書き入力部で受け付け、
この手書き入力受付手段により受け付けられた前記暗記カードの表面と裏面に対する各手書き入力情報を、前記暗記カード表示制御手段により前記表示部に表示された暗記カードの表面と裏面にそれぞれ表示させる入力情報表示制御手段をさらに備え、
前記組み情報記憶手段は、前記入力情報表示制御手段により前記暗記カードの表面と裏面にそれぞれ表示された各手書き入力情報を、当該各手書き入力情報を対応付けてなる暗記カード情報として記憶する、
ことを特徴とする請求項１に記載の手書き入力機能を備えた電子辞書装置。
【請求項３】
前記組み情報表示制御手段により前記暗記カード情報に含まれる表面または裏面の手書き入力情報が前記表示部に表示された状態で、ユーザ操作に応じた手書き入力を手書き入力部で受け付ける書き取りテスト受付手段と、
この書き取りテスト受付手段により受け付けられた手書き入力情報を、前記組み情報表示制御手段により前記暗記カード情報の表面の手書き入力情報が表示されていた場合にはその裏面の手書き入力情報と共に前記表示部に表示させ、前記暗記カード情報の裏面の手書き入力情報が表示されていた場合にはその表面の手書き入力情報と共に前記表示部に表示させる対比表示制御手段と、
この対比表示制御手段により、前記書き取りテスト受付手段により受け付けられた手書き入力情報が前記暗記カード情報の裏面または表面の手書き入力情報と共に前記表示部に表示された後、ユーザ操作に応じた正解または不正解の判定を受け付ける判定受付手段と、
この判定受付手段により受け付けられた正解または不正解の判定情報を、前記書き取りテスト受付手段による手書き入力の受付に伴い前記表示部に表示されていた暗記カード情報に対応付けて記憶する判定情報記憶手段とをさらに備え、
前記組み情報表示制御手段は、前記判定情報記憶手段により記憶された不正解の判定情報と対応付けられて前記組み情報記憶手段により記憶されている暗記カード情報のみを前記表示部に表示させる不正解カード情報表示制御手段を有する、
ことを特徴とする請求項２に記載の手書き入力機能を備えた電子辞書装置。
【請求項４】
前記判定受付手段により不正解の判定が受け付けられた際に、前記表示部に表示されている暗記カード情報の裏面または表面の手書き入力情報を表示させたままの状態で、ユーザ操作に応じた手書き入力を前記手書き入力部で複数回受け付ける復習受付手段をさらに備えたことを特徴とする請求項３に記載の手書き入力機能を備えた電子辞書装置。
【請求項５】
前記組み情報表示制御手段は、前記組み情報記憶手段により記憶された組み情報に含まれる複数の手書き入力情報のうち、ユーザ操作に応じて選択された１つの手書き入力情報を前記表示部に表示させた後、ユーザ操作に応じて当該組み情報に含まれる他の手書き入力情報を前記表示部に表示させることを特徴とする請求項１ないし請求項４に記載の手書き入力機能を備えた電子辞書装置。
【請求項６】
前記組み情報記憶手段は、前記手書き入力受付手段により受け付けられた複数の手書き入力情報を対応付けてなる組み情報を、当該手書き入力受付手段による手書き入力の受け付けに伴い前記表示部に表示されていた見出し語に対応付けて記憶する見出し語対応組み情報記憶手段を有することを特徴とする請求項１ないし請求項５の何れか１項に記載の手書き入力機能を備えた電子辞書装置。
【発明の詳細な説明】
【技術分野】
【０００１】
本発明は、手書き入力機能を備えた電子辞書装置に関する。
【背景技術】
【０００２】
従来の電子辞書装置において、辞書内の見出し語やその説明情報などを効率よく覚えるために、当該辞書内の任意の表記部分を指定しておくことにより、辞書データを表示する際にその指定の表記部分を着色して識別表示したり、非表示としたりする表示制御機能を有するものがある（例えば、特許文献１参照。）。
【０００３】
そして、この電子辞書装置は、辞書内の見出し語と説明情報とをカードの表面と裏面とに表記した、いわゆる学習用暗記カードのイメージにして表示する表示制御機能も備えている。
【特許文献１】特開２００２−００７４２０号公報
【発明の開示】
【発明が解決しようとする課題】
【０００４】
前記従来の電子辞書装置は、辞書内の見出し語と説明情報とを暗記カードのイメージにして表示する表示制御機能を備えているものの、この機能は、辞書データ内の見出し語データと説明情報データとを単に切り出して暗記カードに真似たイメージデータに貼り付け表示するだけのものである。
【０００５】
このため、本来の暗記カードであれば、当該カードの作成時において見出し語と説明情報とを自筆で記入することで高い学習効果が得られるものであるが、それに相当する効果を前記従来の電子辞書装置により得ることはできない。
【０００６】
本発明の目的は、辞書データの見出し語とその説明情報を表示した状態で、手書きの暗記カードを作成することが可能な手書き入力機能を備えた電子辞書装置を提供することにある。
【課題を解決するための手段】
【０００７】
請求項１に記載の手書き入力機能を備えた電子辞書装置は、複数の見出し語と当該各見出し語の説明情報とを対応付けて記憶する辞書データ記憶手段と、この辞書データ記憶手段により記憶されたユーザ任意の見出し語と当該見出し語に対応する説明情報とを表示部に表示させる辞書情報表示制御手段と、この辞書情報表示制御手段によりユーザ任意の見出し語と当該見出し語に対応する説明情報とが表示部に表示された状態で、ユーザ操作に応じた手書き入力を手書き入力部で受け付ける手書き入力受付手段と、この手書き入力受付手段により受け付けられた複数の手書き入力情報を対応付けてなる組み情報を記憶する組み情報記憶手段と、この組み情報記憶手段により記憶された組み情報に含まれる１つの手書き入力情報を前記表示部に表示させた後、ユーザ操作に応じて当該組み情報に含まれる他の手書き入力情報を前記表示部に表示させる組み情報表示制御手段と、を備えたことを特徴としている。
【０００８】
請求項２に記載の手書き入力機能を備えた電子辞書装置は、前記請求項１に記載の手書き入力機能を備えた電子辞書装置において、前記表示部はタッチパネル式表示部であって、暗記カードの表面と裏面とを前記表示部に表示させる暗記カード表示制御手段をさらに備え、前記手書き入力受付手段は、前記暗記カード表示制御手段により前記表示部に表示された暗記カードの表面または裏面に対するタッチ操作に従って、ユーザ操作に応じた手書き入力を当該暗記カードの表面または裏面に対する手書き入力として手書き入力部で受け付け、この手書き入力受付手段により受け付けられた前記暗記カードの表面と裏面に対する各手書き入力情報を、前記暗記カード表示制御手段により前記表示部に表示された暗記カードの表面と裏面にそれぞれ表示させる入力情報表示制御手段をさらに備え、前記組み情報記憶手段は、前記入力情報表示制御手段により前記暗記カードの表面と裏面にそれぞれ表示された各手書き入力情報を、当該各手書き入力情報を対応付けてなる暗記カード情報として記憶することを特徴としている。
【０００９】
請求項３に記載の手書き入力機能を備えた電子辞書装置は、前記請求項２に記載の手書き入力機能を備えた電子辞書装置において、前記組み情報表示制御手段により前記暗記カード情報に含まれる表面または裏面の手書き入力情報が前記表示部に表示された状態で、ユーザ操作に応じた手書き入力を手書き入力部で受け付ける書き取りテスト受付手段と、この書き取りテスト受付手段により受け付けられた手書き入力情報を、前記組み情報表示制御手段により前記暗記カード情報の表面の手書き入力情報が表示されていた場合にはその裏面の手書き入力情報と共に前記表示部に表示させ、前記暗記カード情報の裏面の手書き入力情報が表示されていた場合にはその表面の手書き入力情報と共に前記表示部に表示させる対比表示制御手段と、この対比表示制御手段により、前記書き取りテスト受付手段により受け付けられた手書き入力情報が前記暗記カード情報の裏面または表面の手書き入力情報と共に前記表示部に表示された後、ユーザ操作に応じた正解または不正解の判定を受け付ける判定受付手段と、この判定受付手段により受け付けられた正解または不正解の判定情報を、前記書き取りテスト受付手段による手書き入力の受付に伴い前記表示部に表示されていた暗記カード情報に対応付けて記憶する判定情報記憶手段とをさらに備え、前記組み情報表示制御手段は、前記判定情報記憶手段により記憶された不正解の判定情報と対応付けられて前記組み情報記憶手段により記憶されている暗記カード情報のみを前記表示部に表示させる不正解カード情報表示制御手段を有することを特徴としている。
【００１０】
請求項４に記載の手書き入力機能を備えた電子辞書装置は、前記請求項３に記載の手書き入力機能を備えた電子辞書装置において、前記判定受付手段により不正解の判定が受け付けられた際に、前記表示部に表示されている暗記カード情報の裏面または表面の手書き入力情報を表示させたままの状態で、ユーザ操作に応じた手書き入力を前記手書き入力部で複数回受け付ける復習受付手段をさらに備えたことを特徴としている。
【００１１】
請求項５に記載の手書き入力機能を備えた電子辞書装置は、前記請求項１ないし請求項４に記載の手書き入力機能を備えた電子辞書装置において、前記組み情報表示制御手段は、前記組み情報記憶手段により記憶された組み情報に含まれる複数の手書き入力情報のうち、ユーザ操作に応じて選択された１つの手書き入力情報を前記表示部に表示させた後、ユーザ操作に応じて当該組み情報に含まれる他の手書き入力情報を前記表示部に表示させることを特徴としている。
【００１２】
請求項６に記載の手書き入力機能を備えた電子辞書装置は、前記請求項１ないし請求項５の何れか１項に記載の手書き入力機能付き電子辞書装置において、前記組み情報記憶手段は、前記手書き入力受付手段により受け付けられた複数の手書き入力情報を対応付けてなる組み情報を、当該手書き入力受付手段による手書き入力の受け付けに伴い前記表示部に表示されていた見出し語に対応付けて記憶する見出し語対応組み情報記憶手段を有することを特徴としている。
【発明の効果】
【００１３】
本発明によれば、辞書データの見出し語とその説明情報を表示した状態で、手書きの暗記カードを作成することが可能な手書き入力機能を備えた電子辞書装置を提供できる。
【発明を実施するための最良の形態】
【００１４】
以下図面により本発明の実施の形態について説明する。
【００１５】
図１は、本発明の実施形態に係る手書き入力機能を備えた電子辞書装置１０の外観構成を示す正面図である。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、カーソルキー１４ｄ、スピーカ１５Ｌ，１５Ｒなどを備えた入力部１４、およびペン入力部１６が備えられる。
【００１７】
このペン入力部１６は、ユーザがペンや指等でタッチした位置を検出するタッチ位置検出装置と表示装置が一体となった構造であり、入力部１４の中央手前側において例えば２５６×６４ドットの液晶表示画面に透明タブレット１６ｔを重ねて構成される。このペン入力部１６の入力領域は、必要に応じて、手書き文字を入力するための手書き文字入力部１６ａや各種機能のタッチ入力部１６ｂ、あるいは各入力部１６ａ，１６ｂが混在する領域に切り替えられる（図２参照）。
【００１８】
そして、前記ペン入力部１６が手書き文字入力部１６ａに切り替えられた領域での手書き入力に伴う軌跡はその液晶表示画面にエコーバックして表示される。
【００１９】
また蓋体ケース１２の表面には、そのほぼ全面を対象に例えば４８０×３２０ドットのバックライト付きのタッチパネル式表示部（液晶表示画面）１７が設けられる。このタッチパネル式表示部１７も、前記ペン入力部１６と同様に、ユーザがペンや指等でタッチした位置を検出するタッチ位置検出装置と表示装置が一体となった構造であり、その液晶表示画面に透明タブレット１７ｔを重ねて構成される。
【００２０】
図２は、前記手書き入力機能を備えた電子辞書装置１０の電子回路の構成を示すブロック図である。
【００２１】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２２】
ＣＰＵ２１は、ＲＯＭ（フラッシュメモリ）２２内に予め記憶された装置制御プログラムに応じて、ＲＡＭ２３を作業用メモリとして回路各部の動作を制御する。
【００２３】
前記ＲＯＭ２２に記憶された装置制御プログラムは、入力部１４やペン入力部１６、タッチパネル式表示部１７からのユーザ操作に応じた入力信号に応じて起動される。
【００２４】
前記ＣＰＵ２１には、前記入力部１４、ペン入力部１６、ＲＯＭ２２、ＲＡＭ２３が接続される他に、タッチパネル式表示部１７などが接続される。
【００２５】
ＲＯＭ２２には、当該電子辞書装置１０の全体の動作を司るシステムプログラムが記憶される他に、各種のデータ処理プログラム２５が記憶される。
【００２６】
前記各種のデータ処理プログラム２５としては、検索文字列の入力に応じた見出し語検索処理と指定の見出し語に対応した訳語・意味内容・例文（用例）などの各種説明情報の読み出し表示処理プログラム、前記説明情報の読み出し表示状態において前記ペン入力部１６における手書き文字の入力に応じて暗記カードデータを２７ａ，２７ｂ，…を作成する暗記カード作成処理プログラム、この暗記カード作成処理により作成された暗記カードデータ２７ａ，２７ｂ，…を選択的に表示する暗記カード閲覧処理プログラム、前記暗記カード作成処理により作成された暗記カードデータ２７ａ，２７ｂ，…を選択的に表示して、当該カードデータの一面に記述された見出し語に対応する説明情報の書き取りまたは説明情報に対応する見出し語の書き取りを前記ペン入力部１６にてユーザに行わせる暗記カード書き取りテスト処理プログラムなどが記憶される。
【００２７】
そして前記ＲＯＭ２２内には、各種の辞書データ２６ａ，２６ｂ，２６ｃ，…が記憶される。この各種の辞書データ２６ａ，２６ｂ，２６ｃ，…としては、「国語辞書」「英和辞書」「和英辞書」「英英辞書」「英類語辞書」などと共に、「広○辞」、「漢○源」など、種類の異なる辞書データが予め、あるいは追加入力されて記憶される。
【００２８】
また、ＲＡＭ２３には、前記暗記カード作成処理により作成された暗記カードデータ２７ａ，２７ｂ，２７ｃ，…が記憶され、また前記各種のデータ処理（２５）に応じてＣＰＵ２１に入出力される種々のデータを必要に応じて記憶する作業領域２８が確保される。
【００２９】
前記暗記カードデータ２７ａ，２７ｂ，２７ｃ，…は、各カードデータがその表面のデータと裏面のデータとを対応付けて記憶される。また各カードデータには、前記暗記カード書き取りテスト処理に伴いユーザ入力された当該カード内容の暗記がＯＫかＮＧかを示すＯＫ／ＮＧ情報２７ａｐが付加される。
【００３０】
なお、本実施形態においてＲＡＭ２３に記憶する暗記カードデータ２７ａ，２７ｂ，２７ｃ，…は、各カードデータ２７ａ，２７ｂ，２７ｃ，…を１枚ずつのカードデータとして記憶してもよいし、各カードデータ２７ａ，２７ｂ，２７ｃ，…のそれぞれに複数枚を組みにしたカードデータ２７ａ１，２７ａ２，…，２７ａｎ、２７ｂ１，２７ｂ２，…，２７ｂｎ、２７ｃ１，２７ｃ２，…，２７ｃｎを含んで記憶してもよい。
【００３１】
前記タッチパネル式表示部１７は、前記見出し語検索処理に伴い検索された見出し語の一覧を表示する見出し語表示画面Ｇｍを表示したり、また前記暗記カード作成処理に伴い前記手書き入力部１６ａにて入力された手書き文字データを、暗記カード表面の記述データとして表示する暗記カード表エリア３２ｆおよび暗記カード裏面の記述データとして表示する暗記カード裏エリア３２ｒを表示したりする。
【００３２】
次に、前記構成の手書き入力機能を備えた電子辞書装置１０の動作について説明する。
【００３３】
（暗記カード作成処理）
図３は、前記手書き入力機能を備えた電子辞書装置１０による暗記カード作成処理を示すフローチャートである。
【００３４】
図４は、前記手書き入力機能を備えた電子辞書装置１０による暗記カード作成処理に伴うユーザ操作に応じた表示動作（その１）を示す図である。
【００３５】
図５は、前記手書き入力機能を備えた電子辞書装置１０による暗記カード作成処理に伴うユーザ操作に応じた表示動作（その２）を示す図である。
【００３６】
通常の見出し語検索処理により辞書データ２６ａ，２６ｂ，…から任意の見出し語（例えば「account」）が検索されて指定され「訳／決定」キー１４ｃが入力されると、説明情報読み出し表示処理により当該指定の見出し語「account」に対応する説明情報が読み出され、図４（Ａ）に示すような説明情報表示画面Ｇとしてタッチパネル式表示部１７に表示される（ステップＳ１）。
【００３７】
この説明情報表示画面Ｇの表示状態において、ペン入力部１６には、各種機能タッチ入力部１６ｂとして、「前見出し」ボタン１６ｂ１、「次見出し」ボタン１６ｂ２、「ズーム」ボタン１６ｂ３、「熟語」ボタン１６ｂ４、「成句複合語」ボタン１６ｂ５、「用例解説」ボタン１５ｂ６、「単語帳登録」ボタン１６ｂ７、「暗記カード作成」ボタン１６ｂ８が表示される。
【００３８】
このようなユーザ指定の見出し語「account」に対応した説明情報表示画面Ｇの表示状態において、暗記カードを作成するべく、前記ペン入力部１６に表示された「暗記カード作成」ボタン１６ｂ８がペンタッチされて入力されると（ステップＳ２（ＹＥＳ））、図４（Ｂ）に示すように、前記説明情報表示画面Ｇ内に暗記カード作成画面３１が表示され、暗記カード表エリア３２ｆと暗記カード裏エリア３２ｒが表示される。またこれに伴いペン入力部１６は手書き入力部１６ａに設定され、右端の一部に「ペン」ボタン１６ｂｐおよび「消しゴム」ボタン１６ｂｅが表示される（ステップＳ３）。
【００３９】
この際、前記暗記カード作成画面３１では、暗記カード表エリア３２ｆが、カーソルＣにより囲まれてデフォルト表示され、当該暗記カード表エリア３２ｆに対しての手書き文字の入力待ち状態であることがユーザに報知される。
【００４０】
ここで、図４（Ｃ）に示すように、手書き入力部１６ａにてユーザ所望の手書き文字（例えば見出し語「a number of」）が入力表示され、「訳／決定」キー１４ｃが入力されると（ステップＳ４（ＹＥＳ））、図５（Ｄ）に示すように、当該入力された手書き文字「a number of」がそのまま前記暗記カード作成画面３１内の暗記カード表エリア３２ｆに表示される（ステップＳ５）。
【００４１】
この際、前記暗記カード作成画面３１では、そのカーソルＣの位置が暗記カード表エリア３２ｆから暗記カード裏エリア３２ｒに切り替わって表示され、当該暗記カード裏エリア３２ｒに対しての手書き文字の入力待ち状態であることがユーザに報知される。
【００４２】
ここで、前記暗記カード表エリア３２ｆに入力表示された見出し語「a number of」に対応する説明情報を入力するべく、図５（Ｅ）に示すように、手書き入力部１６ａにてユーザ所望の手書き文字（例えば説明情報「かなり多くの」）が入力表示され、「訳／決定」キー１４ｃが入力されると（ステップＳ６（ＹＥＳ））、図５（Ｆ）に示すように、当該入力された手書き文字「かなり多くの」がそのまま前記暗記カード作成画面３１内の暗記カード裏エリア３２ｒに表示される（ステップＳ７）。
【００４３】
この際、前記暗記カード作成画面３１は、その暗記カード表エリア３２ｆと暗記カード裏エリア３２ｒとを表示したままカーソルＣが消去されることで、暗記カード登録画面３３に切り替わる。
【００４４】
そして、図５（Ｇ）に示すように、「訳／決定」キー１４ｃが入力されると（ステップＳ８（ＹＥＳ））、前記ステップＳ４，Ｓ５において暗記カード表エリア３２ｆに入力表示された手書き文字（見出し語）「a number of」と前記ステップＳ６，Ｓ７において暗記カード裏エリア３２ｒに入力表示された手書き文字（説明情報）「かなり多くの」とを、それぞれ表データと裏データとして対応付けた暗記カードデータ２７ａが作成され、ＲＡＭ２３に登録される（ステップＳ９）。
【００４５】
この際、前記暗記カード登録画面３３には、登録完了メッセージ「登録しました」ＲＭが表示され、前記表データ「a number of」と裏データ「かなり多くの」とによる暗記カードデータ２７ａの登録が完了したことがユーザに報知される。
【００４６】
すると、一定時間（例えば１ＳＥＣ）の後、図５（Ｈ）に示すように、タッチパネル式表示部１７に元の説明情報表示画面Ｇを表示させた状態に戻る（ステップＳ１０）。
【００４７】
このような一連の暗記カード作成処理（ステップＳ１〜Ｓ１０）を繰り返し行うことで、ユーザ所望の複数の暗記カードデータ２７ａ，２７ｂ，２７ｃ，…が順次作成され、ＲＡＭ２３に登録される。
【００４８】
なお、前記暗記カード作成処理では、暗記カード作成画面３１内の暗記カード表エリア３２ｆが最初にカーソルＣにより囲まれて手書き文字の入力待ち状態となり、次に暗記カード裏エリア３２ｒがカーソルＣにより囲まれて手書き文字の入力待ち状態となるように自動設定されている。これに対し、前記暗記カード表エリア３２ｆと暗記カード裏エリア３２ｒとの何れを入力待ち状態とするかは、当該各エリア３２ｆ，３２ｒそのものをユーザがタッチすることで任意に指定できる構成としてもよい。
【００４９】
また、前記暗記カード作成処理では、表データと裏データとの２つの手書き入力データを対応付けて１枚の暗記カードデータ２７ａを作成し登録した。これに対し、３つ以上の手書き入力データを対応付けて１枚の暗記カードデータ２７ａを作成し登録する構成としてもよい。
【００５０】
（暗記カード閲覧処理）
図６は、前記手書き入力機能を備えた電子辞書装置１０による暗記カード閲覧処理を示すフローチャートである。
【００５１】
図７は、前記手書き入力機能を備えた電子辞書装置１０による暗記カード閲覧処理に伴うユーザ操作に応じた表示動作を示す図である。
【００５２】
入力部１４のキー入力に応じてタッチパネル式表示部１７に表示されるメニュー選択画面（図示せず）に従って、暗記カード閲覧モードが選択されると（ステップＡ１）、ＲＡＭ２３に登録済みの暗記カードデータ２７ａ，２７ｂ，２７ｃ，…が読み出され、図７（Ａ）に示すように、各暗記カードデータ２７ａ，２７ｂ，２７ｃ，…を「暗記カード１」「暗記カード２」「暗記カード３」…との見出しにした暗記カードリスト画面Ｇ１がタッチパネル式表示部１７に表示される（ステップＡ２）。
【００５３】
この図７（Ａ）で示した暗記カードリスト画面Ｇ１では、「暗記カード１」（２７ａ）がデフォルトで反転表示されて選択されている。そして、ＲＡＭ２３に登録されている全ての暗記カードデータの合計枚数は６５枚であり、そのうち選択中の「暗記カード１」（２７ａ）には、２４枚の暗記カードデータ２７ａ１〜２７ａ２４が登録されていることを示す。この暗記カードリスト画面Ｇ１の表示状態では、各カードの見出し「暗記カード１」（２７ａ），「暗記カード２」（２７ｂ），「暗記カード３」（２７ｃ），…に対するタッチ入力により、またはカーソルキー１４ｄの入力により、ユーザ任意の暗記カードデータ２７ａ，２７ｂ，２７ｃ，…を選択する。
【００５４】
この暗記カードリスト画面Ｇ１の表示状態において、ペン入力部１６には、各種機能タッチ入力部１６ｂとして、「表から表示」ボタン１６ｂｆ、「裏から表示」ボタン１６ｂｒ、「全ての語を表示」ボタン１６ｂａ、「ＮＧの語のみ表示」ボタン１６ｂｎが表示される。
【００５５】
ここで、前記ペン入力部１６に表示された「ＮＧの語のみ表示」ボタン１６ｂｎがタッチ入力された場合には（ステップＡ３）、前記ＲＡＭ２３内に登録された全ての暗記カードデータ２７ａ，２７ｂ，…のうち、暗記ＮＧを示すＯＫ／ＮＧ情報２７ａｐが付加されている暗記カードデータ２７ａ，２７ｂ，…のみが選択されて見出となる暗記カードリスト画面Ｇ１が表示される（ステップＡ４）。
【００５６】
そして、前記図７（Ａ）で示すような「暗記カード１」（２７ａ）が、ユーザによるペンタッチあるいはカーソルキー１４ｄの入力に応じて選択されている暗記カードリスト画面Ｇ１の表示状態において、「訳／決定」キー１４ｃが入力されると（ステップＡ５（ＹＥＳ））、前記ペン入力部１６の「裏から表示」ボタン１６ｂｒがタッチ入力された状態であるか否か判断される（ステップＡ６）。
【００５７】
ここで、前記図７（Ａ）で示したように、ペン入力部１６の「裏から表示」ボタン１６ｂｒがタッチ入力されて選択された状態であると判断された場合には（ステップＡ６（ＹＥＳ））、前記選択中の「暗記カード１」（２７ａ）に対応して登録されている１枚目の暗記カードデータ２７ａ１の裏データ（ここでは説明情報である手書き文字データ「預金口座」）２７ａ１ｒが読み出される。そして図７（Ｂ）に示すように、当該裏データ２７ａ１ｒを記述した暗記カードの裏面を示すカード閲覧画面Ｇ２がタッチパネル式表示部１７に表示される（ステップＡ７ｒ）。
【００５８】
この際、前記カード閲覧画面Ｇ２に示された暗記カードには、当該カードに記述された暗記カードデータ２７ａ１のＯＫ／ＮＧ情報２７ａ１ｐ（ここでは未設定）が共に表示される。
【００５９】
前記図７（Ｂ）で示したカード閲覧画面Ｇ２の表示状態にあって、カーソルキー１４ｄ（「→」キー）が入力されると（ステップＡ９ｒ（ＹＥＳ））、図７（Ｃ）に示すように、前記選択中の「暗記カード１」（２７ａ）に対応して登録されている２枚目（次）の暗記カードデータ２７ａ２の裏データ「成功する」２７ａ２ｒを記述したカード閲覧画面Ｇ２の表示に切り替えられる（ステップＡ１０ｒ）。
【００６０】
また同図７（Ｃ）で示したカード閲覧画面Ｇ２の表示状態にあって、カーソルキー１４ｄ（「←」キー）が入力されると（ステップＡ９ｒ（ＹＥＳ））、前記図７（Ｂ）で示したように、同選択中の「暗記カード１」（２７ａ）に対応して登録されている１枚目（前）の暗記カードデータ２７ａ１の裏データ「預金口座」２７ａ１ｒを記述したカード閲覧画面Ｇ２の表示に切り替えられる（ステップＡ１０ｒ）。
【００６１】
これにより、カーソルキー１４ｄ（「→」または「←」）の入力に応じて、次の暗記カードのカード閲覧画面Ｇ２か、または前の暗記カードのカード閲覧画面Ｇ２かに切り替わる。
【００６２】
こうして所望の暗記カードの裏データを記述したカード閲覧画面Ｇ２の表示状態、例えば前記図７（Ｂ）で示した暗記カードデータ２７ａ１の裏データ「預金口座」２７ａ１ｒを記述したカード閲覧画面Ｇ２の表示状態において、「訳／決定」キー１４ｃが入力されると（ステップＡ８ｒ（ＹＥＳ））、現在選択表示中の暗記カードデータ２７ａ１の表データ「account」２７ａ１ｆが読み出される。そして図７（Ｄ）に示すように、当該表データ２７ａ１ｆを記述した暗記カードの表面を示すカード閲覧画面Ｇ２がタッチパネル式表示部１７に表示される（ステップＡ７ｆ）。
【００６３】
この暗記カードデータ２７ａ１の表データ「account」２７ａ１ｆを記述したカード閲覧画面Ｇ２の表示状態において、再度「訳／決定」キー１４ｃが入力されると（ステップＡ８ｆ（ＹＥＳ））、前記図７（Ｂ）で示したように同暗記カードデータ２７ａ１の裏データ「預金口座」２７ａ１ｒを記述した暗記カードの裏面を示すカード閲覧画面Ｇ２の表示状態に戻る（ステップＡ７ｒ）。
【００６４】
このように、前記カード閲覧画面Ｇ２の表示状態では、「訳／決定」キー１４ｃが入力される都度、現在選択中の暗記カードデータの表データを記述したカード閲覧画面Ｇ２か、裏データを記述したカード閲覧画面Ｇ２かに切り替わる。
【００６５】
そして、前記図７（Ｄ）で示したように、暗記カードデータ２７ａ１の表データ「account」２７ａ１ｆを記述したカード閲覧画面Ｇ２の表示状態においても、カーソルキー１４ｄ（「→」または「←」）の入力に応じて、次の暗記カードデータ２７ａ２の表データ２７ａ２ｆを記述したカード閲覧画面Ｇ２か、または前の暗記カードデータ２７ａ０の表データ２７ａ０ｆを記述したカード閲覧画面Ｇ２かに切り替わる（ステップＡ９ｆ（ＹＥＳ））→Ａ１０ｆ）。
【００６６】
このような一連の暗記カード閲覧処理（ステップＡ１〜Ａ１０ｒ（Ａ１０ｆ））を行うことで、前記暗記カード登録処理に従って登録された全ての暗記カードデータ２７ａ，２７ｂ，２７ｃ，…の中からユーザ所望の暗記カードデータを選択し、その表データや裏データを自在に切り替えて閲覧できる。
【００６７】
（暗記カード書き取りテスト処理）
図８は、前記手書き入力機能を備えた電子辞書装置１０による暗記カード書き取りテスト処理を示すフローチャートである。
【００６８】
図９は、前記手書き入力機能を備えた電子辞書装置１０による暗記カード書き取りテスト処理に伴うユーザ操作に応じた表示動作（その１）を示す図である。
【００６９】
図１０は、前記手書き入力機能を備えた電子辞書装置１０による暗記カード書き取りテスト処理に伴うユーザ操作に応じた表示動作（その２）を示す図である。
【００７０】
入力部１４のキー入力に応じてタッチパネル式表示部１７に表示されるメニュー選択画面（図示せず）に従って、暗記カード書き取りテストモードが選択されると（ステップＢ１）、前記暗記カード閲覧処理での初期表示処理と同様にして、ＲＡＭ２３に登録済みの全ての暗記カードデータ２７ａ，２７ｂ，２７ｃ，…が読み出され、図９（Ａ）に示すように、各暗記カードデータ２７ａ，２７ｂ，２７ｃ，…を「暗記カード１」「暗記カード２」「暗記カード３」…との見出しにした暗記カードリスト画面Ｇ１がタッチパネル式表示部１７に表示される（ステップＢ２）。
【００７１】
この暗記カード書き取りテスト処理におけるステップＢ２〜Ｂ９ｒ（Ｂ９ｆ）までの一連の処理は、前記暗記カード閲覧処理（図６参照）におけるステップＡ２〜Ａ７ｒ（Ａ７ｆ）→Ａ９ｒ（Ａ９ｆ），Ａ１０ｒ（Ａ１０ｆ）の一連の処理とほぼ同様であり、ユーザ操作に応じて所望の暗記カードデータを選択し、その表データかまたは裏データの何れかを記述した対象カード閲覧画面Ｇ２′を表示させることができる。
【００７２】
但し、この暗記カード書き取りテスト処理では、前記暗記カード閲覧処理（図６参照）でのステップＡ８ｒ（Ａ８ｆ）の判断処理に従い可能であった、「訳／決定」キー１４ｃの入力に応じた現在選択中の暗記カードデータの裏データと表データとの切り替え表示処理（ステップＡ８ｒ→Ａ７ｆ（Ａ８ｆ→Ａ７ｒ））を、行うことはできない。
【００７３】
すなわち、ユーザ操作に応じたステップＢ１〜Ｂ９ｒの処理に従って、例えば図９（Ｂ）に示すように、登録済みの暗記カードデータ２７ａ１の裏データ「預金口座」２７ａ１ｒを記述した対象カード閲覧画面Ｇ２′がタッチパネル式表示部１７に表示される。
【００７４】
この際、前記対象カード閲覧画面Ｇ２′の下端には、書き取りテストのメッセージＧＭ１（「見出し語を手書きパネルに書いてみましょう、書き終わったら訳／決定を押して正解を見てみましょう」）が表示される。これに伴い、ペン入力部１６は手書き入力部１６ａに設定され、右端の一部に「ペン」ボタン１６ｂｐおよび「消しゴム」ボタン１６ｂｅが表示されてなる、手書き文字（解答）の入力待ち状態となる（ステップＢ１０ｒ）。
【００７５】
ここで、ユーザによって、前記対象カード閲覧画面Ｇ２′にて表示されている暗記カードデータ１７ａ１の裏データ「預金口座」２７ａ１ｒに対応すると考えられた見出し語（例えば「deposit」）が、図９（Ｃ）に示すように、前記手書き入力部１６ａに解答として手書き入力され、「訳／決定」キー１４ｃが入力されると（ステップＢ１０ｒ（ＹＥＳ））、タッチパネル式表示部１７は、図１０（Ｄ）に示すように、前記暗記カードデータ２７ａ１の表データ「account」２７ａ１ｆと前記手書き入力部１６ａにてユーザ入力された解答としての手書き文字データ「deposit」３４とを対比して記述した正否判定画面Ｇ３の表示状態に切り替わる（ステップＢ１１ｆ）。
【００７６】
この正否判定画面Ｇ３の表示状態において、ペン入力部１６には、各種機能タッチ入力部１６ｂとして、「ＯＫ」ボタン１６ｂＫ、「ＮＧ」ボタン１６ｂＧが表示される。そして、前記正否判定画面Ｇ３の下端には、ユーザ入力された解答としての手書き文字データ「deposit」３４が正解か否かをユーザに判定させ、正解の場合には前記「ＯＫ」ボタン１６ｂＫを、また不正解の場合には前記「ＮＧ」ボタン１６ｂＧを入力させるためのメッセージＧＭ２が表示される。
【００７７】
なお、ステップＢ７ｆ〜Ｂ１１ｒに掛けての処理は、前記ステップＢ７ｒ〜Ｂ１１ｆに掛けての処理と、その裏データと表データとの扱いが逆になるだけなので、詳細な説明は省略する。つまり、ステップＢ７ｆ〜Ｂ１１ｒに掛けての処理では、ユーザ操作に応じて選択された暗記カードデータの表データ（見出し語）を記述した対象カード閲覧画面Ｇ２′がタッチパネル式表示部１７に表示される。この後、ユーザによって当該暗記カードデータの表データ（見出し語）に対応すると考えられる説明情報を手書き入力部１６ａにて手書き入力すると、同暗記カードデータの裏データ（説明情報）と前記手書き入力部１６ａにてユーザ入力された手書き文字データ（説明情報）３４とを対比して記述した正否判定画面Ｇ３が表示されるものである。
【００７８】
前記図１０（Ｄ）で示したように、暗記カードデータ２７ａ１の表データ「account」２７ａ１ｆと手書き入力部１６ａにてユーザ入力された解答としての手書き文字データ「deposit」３４とを対比して記述した正否判定画面Ｇ３がタッチパネル式表示部１７に表示された状態で、当該表データ「account」２７ａ１ｆと手書き文字データ「deposit」３４とが合わないことで、前記ペン入力部１６に表示された「ＮＧ」ボタン１６ｂＧがユーザにより入力されると（ステップＢ１２（ＮＧ））、当該暗記カードデータ２７ａ１に暗記ＮＧを示すＯＫ／ＮＧ情報２７ａ１ｐが付加されＲＡＭ２３に記憶される（ステップＢ１３）。
【００７９】
すると、今回のテスト処理にて不正解となった前記暗記カードデータ２７ａ１の裏データ（説明情報）「預金口座」２７ａ１ｒに対応する表データ（見出し語）「account」２７ａ１ｆをユーザに復習させるための復習モード処理が実行される（ステップＢ１４）。
【００８０】
この復習モード処理（ステップＢ１４）では、図１０（Ｅ）に示すように、前記不正解となった暗記カードデータ２７ａ１の表データ（見出し語）「account」２７ａ１ｆと当該表データ「account」２７ａ１ｆを繰り返しユーザに手書き入力させる回数「６回」ＰＭ、およびそのメッセージ「残念でしたね…手書きパネルに書いたら訳／決定を押して下さい」ＧＭ３を記述したＮＧカード復習画面Ｇ４がタッチパネル式表示部１７に表示される。
【００８１】
このＮＧカード復習画面Ｇ４に従って、図１０（Ｆ）に示すように、ユーザによって、手書き入力部１６ａに対し前記表データ（見出し語）「account」２７ａ１ｆに習った手書き文字データ「account」が入力され、「訳／決定」キー１４ｃが入力されると、その都度図１０（Ｇ）に示すように、ＮＧカード復習画面Ｇ４に記述された繰り返し回数ＰＭが減らされる。
【００８２】
そして、前記ＮＧカード復習画面Ｇ４に従った、ユーザによる６回の手書き文字データ「account」の入力および「訳／決定」キー１４ｃの入力が繰り返されると、図１０（Ｆ）に示すように、当該６回の手書き文字データ「account」３５1〜３５6を一覧にして記述すると共に最終確認メッセージ「書き取りはどうでしたか？…次の見出し語に進む場合は訳／決定を押して下さい」ＧＭ４を記述してなる最終確認画面Ｇ５がタッチパネル式表示部１７に表示される。
【００８３】
一方、前記正否判定画面Ｇ３に対比して記述された暗記カードデータ２７ａ１の表データ「account」２７ａ１ｆとユーザ入力された解答としての手書き文字データ３４とが合うことで、前記ペン入力部１６に表示された「ＯＫ」ボタン１６ｂＫがユーザにより入力されると（ステップＢ１２（ＯＫ））、当該暗記カードデータ２７ａ１に暗記ＯＫを示すＯＫ／ＮＧ情報２７ａ１ｐが付加されＲＡＭ２３に記憶される（ステップＢ１５）。
【００８４】
このような一連の暗記カード書き取りテスト処理（ステップＢ１〜Ｂ１５）を行うことで、前記暗記カード登録処理に従って登録された全ての暗記カードデータ２７ａ，２７ｂ，２７ｃ，…の中からユーザ所望の暗記カードデータをテスト対象に選択し、その表データ（見出し語）に対応する裏データ（説明情報）の書き取りテスト、あるいはその裏データ（説明情報）に対応する表データ（見出し語）の書き取りテストを行うことができる。
【００８５】
そして、前記書き取りテストの結果、不正解（暗記ＮＧ）となった場合には、当該不正解であった暗記カードデータの裏データ（説明情報）あるいは表データ（見出し語）をユーザに繰り返し手書き入力させる復習モード処理が実行されることで、当該暗記カードデータのより効果的な学習が可能になる。
【００８６】
したがって、前記構成の手書き入力機能を備えた電子辞書装置１０によれば、タッチパネル式表示部１７にユーザ所望の見出し語に対応した説明情報表示画面Ｇを表示させた状態で、当該説明情報表示画面Ｇ内に作成すべき暗記カードの表エリア３２ｆと裏エリア３２ｒを表示させる。そして、前記暗記カードの表エリア３２ｆと裏エリア３２ｒをカーソルＣにより順次選択して、手書き入力部１６ａにて見出し語としての手書き文字データと当該見出し語に対応する説明情報としての手書き文字データを入力する。すると、この手書き入力された見出し語としての手書き文字データと説明情報としての手書き文字データが前記表エリア３２ｆと裏エリア３２ｒに表示され、１枚の暗記カードデータ２７ａ１の表データ２７ａ１ｆと裏データ２７ａ１ｒとして対応付けられてＲＡＭ２３に登録される。そして、登録された複数の暗記カードデータ２７ａ，２７ｂ，…は暗記カードリスト画面Ｇ１にて一覧表示され、ユーザ操作に応じて所望の暗記カードデータ２７ａが選択されてその表データ（見出し語）２７ａ１ｆあるいは裏データ（説明情報）２７ａ１ｒが適宜切り替え表示される。これにより、辞書検索された見出し語およびその説明情報を参照しながら、ユーザ自身の手書きにより、暗記カードデータの表データ（見出し語）と裏データ（説明情報）となる文字データを入力して登録することができる。またこの登録された暗記カードデータを自在に読み出して閲覧することができ、高い学習効果を得ることができる。
【００８７】
また、前記構成の手書き入力機能を備えた電子辞書装置１０によれば、前記暗記カードリスト画面Ｇ１にて一覧表示された複数の暗記カードデータ２７ａ，２７ｂ，…を閲覧する際には、先ず、所望の暗記カードデータ２７ａをユーザによるペンタッチあるいはカーソルキー１４ｄの入力に応じて適宜選択し、この選択された暗記カードデータ２７ａ１の表データ２７ａ１ｆと裏データ２７ａ１ｒとを「訳／決定」キー１４ｃの入力に応じて任意に切り替えて表示できる。そして、カーソルキー「←」「→」１４ｄの入力に応じて現在選択中の暗記カードデータ２７ａ１からその前後に登録されている暗記カードデータ２７ａ０，２７ａ２に選択を切り替えて表示できる。これにより、複数登録された暗記カードデータの中の何れかのカードデータの表データまたは裏データを、自在に選択表示させて閲覧することができる。
【００８８】
また、前記構成の手書き入力機能を備えた電子辞書装置１０の暗記カード書き取りテストモードでは、前記所望の暗記カードデータ２７ａ１の表データ（見出し語）２７ａ１ｆまたは裏データ（説明情報）２７ａ１ｒの何れか一方の面をタッチパネル式表示部１７に表示させた状態で、当該一方の面のデータ（見出し語または説明情報）に対応する解答としての手書き文字データ（説明情報または見出し語）を手書き入力部１６ａにて入力すると、前記タッチパネル式表示部１７に対し前記暗記カードデータ２７ａ１の他方の面のデータ（正解）と前記手書き文字データ（解答）とを対比した正否判定画面Ｇ３が表示される。ここで、ペン入力部１６に表示された「ＯＫ」ボタン１６ｂＫまたは「ＮＧ」ボタン１６ｂＧをタッチ入力すると、暗記ＯＫまたは暗記ＮＧを示す情報２７ａ１ｐが前記暗記カードデータ１７ａ１に付加されてＲＡＭ２３記憶される。前記暗記カード書き取りテストモードにおいて、ペン入力部１６に表示させた「ＮＧの語のみ表示」ボタン１６ｂｎがタッチ入力されている場合には、暗記ＮＧの情報が付加された暗記カードデータのみ選択されて暗記カードリスト画面Ｇ１に一覧表示される。これにより、前記暗記カード書き取りテストモードでは、暗記が完全でない暗記カードデータだけを容易に選択し表示させて集中的に書き取りの学習を行うことができる。
【００８９】
さらに、前記暗記カード書き取りテストモードにおいて、ペン入力部１６に表示された「ＮＧ」ボタン１６ｂＧがタッチ入力された場合には、そのときの正否判定画面Ｇ３にて表示されていた前記暗記カードデータ２７ａ１の他方の面のデータ（正解）と、この他方の面のデータ（正解）をユーザに繰り返し手書き入力させる復習回数ＰＭとを記述したＮＧカード復習画面Ｇ４が表示され、手書き入力部１６ａにおいて前記復習回数ＰＭ分の手書き文字の入力が繰り返し受け付けられる。これにより、不正解となった暗記カードデータの表データ（見出し語）や裏データ（説明情報）を、その場で繰り返し手書き入力して効果的に復習することできる。
【００９０】
なお、前記実施形態の手書き入力機能を備えた電子辞書装置１０において、暗記カード作成モードにて作成した暗記カードデータ２７ａ，２７ｂ，…を、それぞれその作成処理に伴い表示させていた説明情報表示画面Ｇの見出し語に対応付けて登録する。そして、暗記カード閲覧モードにおいて、所望の暗記カードデータ２７ａの表データ（見出し語）または裏データ（説明情報）を記述したカード閲覧画面Ｇ２を表示させた際に、前記対応付けて登録した見出し語の説明情報表示画面Ｇを共に表示させる構成とする。これによれば、所望の暗記カードデータの閲覧に伴い、当該暗記カードデータの内容に関係した見出し語や説明情報などの辞書情報を見ることができる。
【００９１】
また、前記暗記カード書き取りテスト処理では、ユーザ入力された解答が正解か否かをユーザが判定する構成とした。これに対し、電子辞書装置１０が文字認識機能を備えることにより、ユーザ入力された解答が正解か否かを自動で判定する構成としてもよい。
【００９２】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９３】
【図１】本発明の実施形態に係る手書き入力機能を備えた電子辞書装置１０の外観構成を示す正面図。
【図２】前記手書き入力機能を備えた電子辞書装置１０の電子回路の構成を示すブロック図。
【図３】前記手書き入力機能を備えた電子辞書装置１０による暗記カード作成処理を示すフローチャート。
【図４】前記手書き入力機能を備えた電子辞書装置１０による暗記カード作成処理に伴うユーザ操作に応じた表示動作（その１）を示す図。
【図５】前記手書き入力機能を備えた電子辞書装置１０による暗記カード作成処理に伴うユーザ操作に応じた表示動作（その２）を示す図。
【図６】前記手書き入力機能を備えた電子辞書装置１０による暗記カード閲覧処理を示すフローチャート。
【図７】前記手書き入力機能を備えた電子辞書装置１０による暗記カード閲覧処理に伴うユーザ操作に応じた表示動作を示す図。
【図８】前記手書き入力機能を備えた電子辞書装置１０による暗記カード書き取りテスト処理を示すフローチャート。
【図９】前記手書き入力機能を備えた電子辞書装置１０による暗記カード書き取りテスト処理に伴うユーザ操作に応じた表示動作（その１）を示す図。
【図１０】前記手書き入力機能を備えた電子辞書装置１０による暗記カード書き取りテスト処理に伴うユーザ操作に応じた表示動作（その２）を示す図。
【符号の説明】
【００９４】
１０  …手書き入力機能を備えた電子辞書装置１０
１１  …本体ケース
１２  …蓋体ケース
１３  …ヒンジ部
１４  …入力部
１４ａ…文字入力キー
１４ｂ…辞書指定キー
１４ｃ…「訳／決定」キー
１４ｄ…カーソルキー
１５Ｌ，１５Ｒ…スピーカ
１６  …ペン入力部
１６ｔ…透明タブレット
１６ａ…手書き文字入力部
１６ｂ…各種機能のタッチ入力部
１６ｂ１…「前見出し」ボタン
１６ｂ２…「次見出し」ボタン
１６ｂ３…「ズーム」ボタン
１６ｂ４…「熟語」ボタン
１６ｂ５…「成句複合語」ボタン
１６ｂ６…「用例解説」ボタン
１６ｂ７…「単語帳登録」ボタン
１６ｂ８…「暗記カード作成」ボタン
１６ｂｐ…「ペン」ボタン
１６ｂｅ…「消しゴム」ボタン
１６ｂｆ…「表から表示」ボタン
１６ｂｒ…「裏から表示」ボタン
１６ｂａ…「全ての語を表示」ボタン
１６ｂｎ…「ＮＧの語のみ表示」ボタン
１６ｂＫ…「ＯＫ」ボタン
１６ｂＧ…「ＮＧ」ボタン
１７  …タッチパネル式表示部（液晶表示画面）
１７ｔ…透明タブレット
２１  …ＣＰＵ
２２  …ＲＯＭ
２３  …ＲＡＭ
２５  …各種データ処理プログラム
２６ａ，２６ｂ，...…辞書データ
２７ａ，２７ｂ，...…暗記カードデータ
２７ａｐ…ＯＫ／ＮＧ情報
２８  …作業領域
３１  …暗記カード作成画面
３２ｆ…暗記カード表エリア
３２ｒ…暗記カード裏エリア
３３  …暗記カード登録画面
３４  …手書き文字データ
３５1〜３５6…手書き文字データ
Ｇｍ  …見出し語表示画面
Ｇ    …説明情報表示画面
Ｇ１  …暗記カードリスト画面
Ｇ２  …カード閲覧画面
Ｇ２′…対象カード閲覧画面
Ｇ３  …正否判定画面
Ｇ４  …ＮＧカード復習画面
Ｇ５  …最終確認画面
Ｃ    …カーソル
ＲＭ  …登録完了メッセージ
ＧＭ１…書き取りテストのメッセージ
ＧＭ２…正解／不正解入力メッセージ
ＧＭ３…復習メッセージ
ＧＭ４…最終確認メッセージ
ＰＭ  …復習回数
【図１】
2009146052.tif 000003
【図２】
2009146052.tif 000004
【図３】
2009146052.tif 000005
【図４】
2009146052.tif 000006
【図５】
2009146052.tif 000007
【図６】
2009146052.tif 000008
【図７】
2009146052.tif 000009
【図８】
2009146052.tif 000010
【図９】
2009146052.tif 000011
【図１０】
2009146052.tif 000012